(57)【要約】【課題】導通検査装置の装置構成を複雑化することなく雌端子の接点となる弾性接触片のバネ荷重を低下させない導通検査を行うことができる雌端子および導通検査装置を提供すること。【解決手段】雄端子の接続部が挿入される筒状部分１１の内面１１ａに該内面１１ａに対向する内面１１ｂとの間に前記接続部を挟み込むように設けられた弾性接触片１２の前記接続部との接点１２ａよりも前記筒状部分１１の前記接続部の挿入方向入り口側、かつ、前記弾性接触片１２による前記接続部の挟み込み方向に直交する方向で向かい合う前記筒状部分１１の内面１１ｃ、１１ｄに導通検査用のピン１２０に接触されるように突設された一対の導通検査用接点１３、１３を有する。【選択図】図１
2019087393.tif 000002
【特許請求の範囲】
【請求項１】
雄端子の接続部が挿入される筒状部分の内面に該内面に対向する内面との間に前記接続部を挟み込むように設けられた弾性接触片の前記接続部との接点よりも前記筒状部分の前記接続部の挿入方向入り口側、かつ、前記弾性接触片による前記接続部の挟み込み方向に直交する方向で向かい合う前記筒状部分の内面に導通検査用のピンに接触されるように突設された一対の導通検査用接点
を有することを特徴とする雌端子。
【請求項２】
請求項１に記載の雌端子の一対の導通検査用接点に接触される導通検査用のピン
を有することを特徴とする導通検査装置。
【請求項３】
前記導通検査用のピンとともに前記雌端子が収容されたコネクタハウジング内に挿入されることによって、前記コネクタハウジング内に設けられた係止部とは別に２重で係止するために前記コネクタハウジングとは別に該コネクタハウジングに組み付けられるスペーサが前記雌端子が前記コネクタハウジング内に中途挿入状態であることによって組み付け途中の状態である場合に、前記スペーサに当接されて前記雌端子が前記コネクタハウジング内に中途挿入状態であることを検知する検知ピン
を有することを特徴とする請求項２に記載の導通検査装置。
【発明の詳細な説明】
【技術分野】
【０００１】
本発明は、弾性接触片の接点によって雄端子に接続される雌端子、および、導通検査装置に関する。
【背景技術】
【０００２】
従来、雌端子を組み込んだコネクタの導通検査は、導通検査用のピンをコネクタハウジング内に収容された雌端子の接点に接続することによって行われる。
例えば、雌端子は、雄端子の接続部が挿入される筒状部分の内面に接続部を内面に対向する内面との間に挟み込むように設けられた弾性接触片の接点によって雄端子に接続されるようになっている。
このような雌端子を導通検査する場合、導通検査用のピンが弾性接触片に接触されるため、塑性領域を使用範囲とする弾性接触片であると、バネ荷重が低下してしまう問題、および、弾性接触片の接点への異物付着の問題が生じるおそれがある。
【０００３】
このような問題を解消するため、例えば、特許文献１には、導通検査用のピンを弾性接触片に接触させることなく、導通検査用のピンから注入した導電性ゲルを介して導電検査用のピンと雌端子とを電気的に接続することによって導通検査が行われるようにした導通検査装置が記載されている。
【先行技術文献】
【特許文献】
【０００４】
【特許文献１】特開２０１７−４６５１号公報
【発明の概要】
【発明が解決しようとする課題】
【０００５】
しかしながら、特許文献１に記載の導通検査装置は、導電性ゲルを導通検査用のピンから注入しなければならず、導通検査装置の装置構成が複雑化してしまう問題があった。
【０００６】
本発明は、上記に鑑みてなされたものであって、導通検査装置の装置構成を複雑化することなく雌端子の接点となる弾性接触片のバネ荷重を低下させない導通検査を行うことができる雌端子および導通検査装置を提供することを目的とする。
【課題を解決するための手段】
【０００７】
上述した課題を解決し、目的を達成するために、本発明の請求項１に係る雌端子は、雄端子の接続部が挿入される筒状部分の内面に該内面に対向する内面との間に前記接続部を挟み込むように設けられた弾性接触片の前記接続部との接点よりも前記筒状部分の前記接続部の挿入方向入り口側、かつ、前記弾性接触片による前記接続部の挟み込み方向に直交する方向で向かい合う前記筒状部分の内面に導通検査用のピンに接触されるように突設された一対の導通検査用接点を有することを特徴とする。
【０００８】
上述した課題を解決し、目的を達成するために、本発明の請求項２に係る導通検査装置は、請求項１に記載の雌端子の一対の導通検査用接点に接触される導通検査用のピンを有することを特徴とする。
【０００９】
また、本発明の請求項３に係る導通検査装置は、上記の発明において、前記導通検査用のピンとともに前記雌端子が収容されたコネクタハウジング内に挿入されることによって、前記コネクタハウジング内に設けられた係止部とは別に２重で係止するために前記コネクタハウジングとは別に該コネクタハウジングに組み付けられるスペーサが前記雌端子が前記コネクタハウジング内に中途挿入状態であることによって組み付け途中の状態である場合に、前記スペーサに当接されて前記雌端子が前記コネクタハウジング内に中途挿入状態であることを検知する検知ピンを有することを特徴とする。
【発明の効果】
【００１０】
本発明に係る雌端子は、前記弾性接触片の前記接点よりも前記筒状部分の前記接続部の挿入方向入り口側、かつ、前記弾性接触片による前記接続部の挟み込み方向に直交する方向で向かい合う前記筒状部分の内面に導通検査用のピンに接触されるように突設された一対の導通検査用接点を有しているので、前記弾性接触片に接触されることなく前記導通検査用のピンによって導通検査を行うことができ、しかも、前記弾性接触片に接触されることなく前記導通検査用のピンによって導通検査を行うために導通検査装置に特別な構成を付加する必要がないので、導通検査装置の装置構成を複雑化することなく雌端子の接点となる弾性接触片のバネ荷重を低下させない導通検査を行うことができる。
【００１１】
本発明に係る導通検査装置は、前記弾性接触片の前記接点よりも前記筒状部分の前記接続部の挿入方向入り口側、かつ、前記弾性接触片による前記接続部の挟み込み方向に直交する方向で向かい合う前記筒状部分の内面に導通検査用のピンに接触されるように突設された一対の導通検査用接点をする前記雌端子の前記一対の導通検査用接点に接触される前記導通検査用のピンを有するので、前記弾性接触片に接触されることなく前記導通検査用のピンによって導通検査を行うことができ、しかも、前記弾性接触片に接触されることなく前記導通検査用のピンによって導通検査を行うために特別な構成を付加する必要がないので、導通検査装置の装置構成を複雑化することなく雌端子の接点となる弾性接触片のバネ荷重を低下させない導通検査を行うことができる。
【図面の簡単な説明】
【００１２】
【図１】図１は、本発明の実施例に係る雌端子であり、（ａ）が雌端子を雄端子の挿入方向入り口側から視た図であり、（ｂ）が（ａ）に示した雌端子の筒状部分周辺のＡ−Ａ線断面図であり、（ｃ）が（ａ）に示した雌端子の一対の導通検査用接点周辺のＢ−Ｂ線断面図である。
【図２】図２は、図１に示した雌端子が組み込まれたコネクタの分解斜視図である。
【図３】図３は、（ａ）がコネクタハウジングの正面図であり、（ｂ）が（ａ）に示したコネクタハウジングのスペーサ係止部周辺の拡大図である。
【図４】図４は、（ａ）がスペーサの正面図であり、（ｂ）が（ａ）に示したスペーサのスペーサ被係止部周辺の拡大図である。
【図５】図５は、（ａ）がスペーサが仮係止位置に配置されている状態のスペーサ係止部とスペーサ被係止部との係止状態を示した図であり、（ｂ）がスペーサが本係止位置に配置されている状態のスペーサ係止部とスペーサ被係止部との係止状態を示した図である。
【図６】図６は、（ａ）がコネクタの正面図であり、（ｂ）が（ａ）に示したコネクタをＡ−Ａ線断面で視た場合の一つの端子収容室周辺の断面図である。
【図７】図７は、導通検査装置によってコネクタの導通検査を実施している様子を示した図であり、導通検査用のピンおよび検知ピンを破線で示した図である。
【図８】図８は、コネクタハウジング内に挿入完了された状態の雌端子に対してコネクタハウジング内に挿入された導通検査用のピンおよび検知ピンの配置状態を説明するための図である。
【図９】図９は、コネクタハウジング内に中途挿入状態にある雌端子に対してコネクタハウジング内に挿入された導通検査用のピンおよび検知ピンの配置状態を説明するための図である。
【発明を実施するための形態】
【００１３】
以下、図面を参照して、本発明に係る雌端子、および、導通検査装置の好適な実施例を詳細に説明する。
【実施例】
【００１４】
図１は、本発明の実施例に係る雌端子１であり、（ａ）が雌端子１を雄端子の挿入方向入り口側から視た図であり、（ｂ）が（ａ）に示した雌端子１の筒状部分１１周辺のＡ−Ａ線断面図であり、（ｃ）が（ａ）に示した雌端子１の一対の導通検査用接点１３、１３周辺のＢ−Ｂ線断面図である。図２は、図１に示した雌端子１が組み込まれたコネクタ４０の分解斜視図である。図３は、（ａ）がコネクタハウジング５０の正面図であり、（ｂ）が（ａ）に示したコネクタハウジング５０のスペーサ係止部５３周辺の拡大図である。図４は、（ａ）がスペーサ９０の正面図であり、（ｂ）が（ａ）に示したスペーサ９０のスペーサ被係止部９１周辺の拡大図である。図５は、（ａ）がスペーサ９０が仮係止位置に配置されている状態のスペーサ係止部５３とスペーサ被係止部９１との係止状態を示した図であり、（ｂ）がスペーサ９０が本係止位置に配置されている状態のスペーサ係止部５３とスペーサ被係止部９１との係止状態を示した図である。図６は、（ａ）がコネクタ４０の正面図であり、（ｂ）が（ａ）に示したコネクタ４０をＡ−Ａ線断面で視た場合の一つの端子収容室５１周辺の断面図である。図７は、導通検査装置１００によってコネクタ４０の導通検査を実施している様子を示した図であり、導通検査用のピン１２０および検知ピン１３０を破線で示した図である。図８は、コネクタハウジング５０内に挿入完了された状態の雌端子１に対してコネクタハウジング５０内に挿入された導通検査用のピン１２０および検知ピン１３０の配置状態を説明するための図である。図９は、コネクタハウジング５０内に中途挿入状態にある雌端子に対してコネクタハウジング５０内に挿入された導通検査用のピン１２０および検知ピン１３０の配置状態を説明するための図である。
なお、図１は、筒状部分に挿入される雄端子の接続部を仮想線で示している。
本発明の実施例に係る雌端子１は、雄端子２００の接続部２１０が挿入される筒状部分１１の内面１１ａに該内面１１ａに対向する内面１１ｂとの間に接続部２１０を挟み込むように設けられた弾性接触片１２の接点１２ａによって雄端子に接続するものである。
また、本発明の実施例に係る導通検査装置１００は、コネクタハウジング５０内に収容された雌端子１を導通検査用のピン１２０によって導通検査するとともに検知ピン１３０によって雌端子１がコネクタハウジング内に中途挿入状態であることを検知するものである。
【００１５】
まず、雌端子１が組み込まれるコネクタ４０について説明する。
コネクタ５０は、雌端子１が収容されるコネクタハウジング５０と、コネクタハウジング５０の不図示の相手コネクタとの嵌合側端部に組み付けられるフロントホルダ６０と、コネクタハウジング５０の電線引出側端部に組み付けられるリアホルダ７０と、リアホルダ７０によってコネクタハウジング５０との間に挟み込まれるようにして保持される弾性シール部材８０と、コネクタハウジング５０内に設けられた係止部とは別に２重で雌端子１をコネクタハウジング５０内に係止するためにコネクタハウジング５０とは別にコネクタハウジング５０に組み付けられるスペーサ９０と、を有する。
【００１６】
コネクタハウジング５０は、絶縁性の樹脂材からなるブロック状をなし、複数の雌端子１が収容される複数の端子収容室５１と、スペーサ９０をコネクタハウジング５０内に挿入する空間であるスペーサ挿入部５２と、スペーサ９０を仮係止位置および本係止位置で係止するスペーサ係止部５３と、を有する。
【００１７】
端子収容室５１は、図６（ｂ）に示すように、リアホルダ７０が組み付けらえる側の端部が雌端子の挿入口５１ａとなって電線Ｗが引き出されるようになっている。
また、端子収容室５１は、相手コネクタとの嵌合側端部がフロントホルダ６０によって画成され、かつ、相手コネクタの雄端子２００の接続部２１０が挿入される相手端子挿入口６１が形成されるようになっている。
また、端子収容室５１内には、雌端子１を端子収容室５１への挿入完了位置で係止する係止部としての弾性係止片５１ｂが設けられている。
【００１８】
スペーサ挿入部５２は、スペーサ挿入口５２ａ（図８（ａ）および図９（ａ）参照）からコネクタハウジング５０内に端子収容室５１を横切る方向で繋がる空間を形成している。
【００１９】
スペーサ係止部５３は、図３および図５に示すように、コネクタハウジング５０の両側部にスペーサ９０の挿入方向に沿って間隔を空けて突設され、スペーサ９０の後述する２つの被係止突起９１ａ、９１ａに係止する２つの係止突起５３ａ、５３ａを有する。
【００２０】
フロントホルダ６０は、絶縁性の樹脂材からなり、相手コネクタとの嵌合側端部で端子収容室５１を画成するものである。
【００２１】
リアホルダ６０は、絶縁性の樹脂材からなり、コネクタハウジング５０の電線引出側端部に形成された雌端子の挿入口５１ａを防水可能に塞ぐために、コネクタハウジング５０との間に弾性シール部材８０を挟み込むようにコネクタハウジング５０の電線引出側端部に組み付けられるものである。
【００２２】
弾性シール部材８０は、ゴム材等の弾性部材からなり、雌端子１が端末部に取り付けされた電線Ｗが挿通される複数の電線挿通孔８１ａが複数の端子収容室５１に対応して形成されている。
【００２３】
スペーサ９０は、コネクタハウジング５０のスペーサ挿入口５２ａからスペーサ挿入部５２に誘導されてコネクタハウジング５０内に組み込まれるようになっている。
このスペーサ９０は、絶縁性の樹脂材からなり、図４に示すように、両側部下端に先端をコネクタハウジン５０への挿入方向に向けて延びる一対の係止アーム９１、９１が設けられている。
【００２４】
係止アーム９１は、コネクタハウジング５０のスペーサ係止部５３に係止されるスペーサ被係部として、先端、および、基端部と先端との間の位置の２カ所に内側に突出された被係止突起９１ａを有する。
【００２５】
スペーサ９０は、コネクタハウジング５０に対して仮係止位置で係止されている状態で、コネクタハウジング５０のスペーサ係止部５３とスペーサ９０のスペーサ被係止部９１とが、図５（ａ）に示すように係止され、雌端子の挿入口５１ａから端子収容室５１への挿入完了位置まで雌端子１に干渉しない位置に配置されている。
【００２６】
また、スペーサ９０は、コネクタハウジング５０に対して本係止位置で係止されている状態で、コネクタハウジング５０のスペーサ係止部５３と、スペーサ９０のスペーサ被係止部９１とが図５（ｂ）に示すように係止される。
本係止位置に配置されたスペーサ９０は、図８（ａ）に示すように、雌端子１の筒状部分１１の後端部近傍位置で筒状部分１１の後端面に対峙される位置に一部が挿入されるため、雌端子１が雌端子の挿入口５１ａから離脱する方向に移動されることを阻止するようになっている。
【００２７】
なお、スペーサ９０は、本係止位置に配置されていない状態では、一部がスペーサ挿入口５２ａからはみ出した状態になっている。
このため、雌端子１が端子収容室５１への挿入完了位置まで挿入されていないことによって、スペーサ９０がコネクタハウジング５０に本係止されていない状態では、スペーサ９０が相手コネクタに干渉することによって雌端子１の中途挿入状態が検知できるようになっている。
【００２８】
次に、雌端子１について説明する。
雌端子１は、板状の金属部材を抜き打ち加工、および、曲げ加工を施すことによって成形されたものであり、図２および図６（ｂ）に示すように、電線Ｗの端末部に取り付けられている。
この雌端子１は、相手コネクタの雄端子と接続する部分となる相手端子接続部１０と、電線Ｗの絶縁被覆が除去されて露出された導体部に圧着される導体圧着部２０と、電線Ｗの絶縁被覆に圧着される被覆圧着部３０と、を有する。
【００２９】
相手端子接続部１０は、雄端子の接続部が挿入される筒状部分１１と、筒状部分１１の内面１１ａに該内面１１ａに対向する内面１１ｂとの間に雄端子２００の接続部２１０を挟み込むように設けられた弾性接触片１２と、導通検査装置１００の導通検査用のピン１２０が接触される一対の導通検査用接点１３と、を有する。
【００３０】
筒状部分１１は、横断面が矩形状をなし、互いに向かい合う２組の内面が形成されている。
この筒状部分１１は、弾性接触片１２が設けられる内面１１ａを形成する壁１１Ａに端子収容室５１に設けられた係止部としての弾性係止片５１ｂが係止される係止孔５１ｃが形成されている。
【００３１】
弾性接触片１２は、筒状部分１１の一つの内面１１ａから対向する内面１１ｂに向けて山状に屈曲されており、頂点部分が半球状に突出されることによって雄端子２００の接続部２１０に接触される接点１２ａになっている。
【００３２】
一対の導通検査用接点１３、１３は、弾性接触片１２の接点１２ａよりも筒状部分１１の雄端子２００の接続部２１０の挿入方向入り口側、かつ、弾性接触片１２による接続部２１０の挟み込み方向に直交する方向で向かい合う筒状部分１１の内面１１ｃ、１１ｄに導通検査用のピンに接触されるように突設されている。
【００３３】
導通検査用接点１３は、より具体的には、弾性接触片１２が設けられた筒状部分１１の壁１１Ａに直交する一対の壁１１Ｃ、１１Ｄに打ち出し成形によって半球状に突出され、頂点部分が導通検査用のピン１２０にゼロタッチ、あるいは、ラップするようになっている。
【００３４】
また、一対の導通検査用接点１３、１３は、雄端子２００の接続部２１０が筒状部分１１内に挿入された際に、接続部２１０を一対の導通検査用接点１３、１３が対向する方向で弾性接触片１２の接点１２ａに接触される位置に位置決めされるようにガイドする位置決めガイド機能をなしている。
【００３５】
導通検査用のピン１２０は、雌端子１の筒状部分１１内で弾性接触片１２の接点１２ａより挿入方向入り口側で一対の導通検査用接点１３、１３に接触されることによって導通検査が可能になるため、弾性接触片１２の接点１２ａに接触させる場合に比して短く、かつ、太くすることができる。
【００３６】
次に、本発明の実施例に係る導通検査装置１００について説明する。
導通検査装置１００は、図７に示すように、コネクタ４０を保持するコネクタ保持部１１０と、コネクタハウジング５０に収容された複数の雌端子１に対応した複数の導通検査用のピン１２０と、雌端子１がコネクタハウジング５０内に中途挿入状態であることを検知する検知ピン１３０と、を有する。
【００３７】
導通検査用のピン１２０は、弾性接触片１２の接点１２ａよりも筒状部分１１の接続部２１０の挿入方向入り口側に設けられた一対の導通検査用接点１３、１３に接触されることによって導通検査が可能であるため、弾性接触片１２の接点１２ａに接触させる場合に比して短く、かつ、太く設定されている。
【００３８】
検知ピン１３０は、導通検査用のピン１２０とともに雌端子１が収容されたコネクタハウジング５０内に挿入されるようになっている。
このため、検知ピン１３０は、雌端子１がコネクタハウジング５０内に中途挿入状態であることによってスペーサ９０が組み付け途中の状態になっている場合、スペーサ９０に当接されて雌端子１がコネクタハウジング５０内に中途入状態であることを検知できるようになっている。
【００３９】
次に、導通検査装置１００を用いたコネクタ４０の導通検査の手順について、各部の動作を示しつつ説明する。
【００４０】
まず、導通検査装置１００のコネクタ保持部１１０にセットする状態にコネクタ４０を組み付ける手順について説明する。
作業者は、スペーサ９０をコネクタハウジング５０のスペーサ挿入口５２ａからスペーサ挿入部５２内に挿入し、仮係止位置に係止する。
このようにスペーサ９０が仮係止位置に係止されている状態で、作業者は、複数の雌端子１を対応する各端子収容室５１の挿入完了位置まで挿入する。
端子収容室５１の挿入完了位置に配置された各雌端子１は、弾性係止片５１ｂによって端子収容室５１内に係止される。
【００４１】
全ての雌端子１を対応する端子収容室５１に挿入完了した後、作業者は、スペーサ９０を本係止位置に配置する。
このようにスペーサ９０を本係止位置に配置すると、コネクタ４０は相手コネクタとの篏合が可能な状態となり、導通検査装置１００による検査が実施される。
【００４２】
導通検査では、まず、作業者は、コネクタ４０をコネクタ保持部１１０にセットする。
コネクタ４０をコネクタ保持部１１０にセットした後、複数の導通検査用のピン１２０、および、検知ピン１３０が自動または手動でコネクタハウジング５０内に挿入される。
このとき、全ての雌端子１が対応する各端子収容室５１の挿入完了位置に配置されている場合、図８に示すように、導通検査用のピン１２０が一対の導通検査用接点１３、１３に接触されることによって導通検査が開始される。
なお、全ての雌端子１が対応する各端子収容室５１の挿入完了位置に配置されている場合、スペーサ９０が本係止位置に配置されているため、図８（ａ）に示すように、スペーサ９０が検知ピン１３０に干渉しない。
【００４３】
一方、複数の雌端子１のうち端子収容室５１に中途挿入状態のものがある場合、図９に示すように、中途挿入状態の雌端子１に対応した導通検査用のピン１２０が一対の導通検査用接点１３、１３に接触されない。
このような場合、導通検査装置１００の不図示の報知手段によってエラーが報知されることによって、雌端子１が中途挿入状態であることを検知することができる。
また、複数の雌端子１のうち端子収容室５１に中途挿入状態のものがある場合、スペーサ９０が本係止位置に配置されていないため、図９（ａ）に示すように、スペーサ９０が検知ピン１３０に干渉し、雌端子１が中途挿入状態であることを検知することができる。
【００４４】
本発明の実施例に係る雌端子１は、弾性接触片１２の接点１２ａよりも筒状部分１１の接続部２１０の挿入方向入り口側、かつ、弾性接触片１２による接続部２１０の挟み込み方向に直交する方向で向かい合う筒状部分１１の内面１１ｃ、１１ｄに導通検査用のピン１２０に接触されるように突設された一対の導通検査用接点１３、１３を有しているので、弾性接触片１２に接触されることなく導通検査用のピン１２０によって導通検査を行うことができ、しかも、弾性接触片１２に接触されることなく導通検査用のピン１２０によって導通検査を行うために導通検査装置に特別な構成を付加する必要がないので、導通検査装置１００の装置構成を複雑化することなく雌端子１の接点となる弾性接触片１２のバネ荷重を低下させない導通検査を行うことができる。
【００４５】
本発明の実施例に係る導通検査装置１００は、弾性接触片１２の接点１２ａよりも筒状部分１１の接続部２１０の挿入方向入り口側、かつ、弾性接触片１２による接続部２１０の挟み込み方向に直交する方向で向かい合う筒状部分１１の内面１１ｃ、１１ｄに突設された一対の導通検査用接点１３、１３を有する雌端子１の一対の導通検査用接点１３、１３に接触される導通検査用のピン１２０を有するので、前記弾性接触片に接触されることなく前記導通検査用のピンによって導通検査を行うことができ、しかも、前記弾性接触片に接触されることなく前記導通検査用のピンによって導通検査を行うために特別な構成を付加する必要がないので、導通検査装置の装置構成を複雑化することなく雌端子の接点となる弾性接触片のバネ荷重を低下させない導通検査を行うことができる。
【００４６】
本発明の実施例に係る導通検査装置１００は、導通検査用のピン１２０とともに雌端子１が収容されたコネクタハウジング５０内に挿入されることによって、コネクタハウジング５０内に設けられた係止部５１ｂとは別に２重で係止するためにコネクタハウジング５０とは別に該コネクタハウジング５０に組み付けられるスペーサ９０が雌端子１がコネクタハウジング５０内に中途挿入状態であることによって組み付け途中の状態である場合に、スペーサ９０に当接されて雌端子１がコネクタハウジング５０内に中途挿入状態であることを検知する検知ピン１３０を有するので、導通検査用のピン１２０による導通検査だけでなく検知ピン１３０によっても雌端子１がコネクタハウジング５０内に中途挿入状態であることを検知することができる。
【００４７】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００４８】
１      雌端子
１０    相手端子接続部
１１    筒状部分
１１ａ、１１ｂ、１１ｃ、１１ｄ  内面
１１Ａ、１１Ｃ、１１Ｄ  壁
１２    弾性接触片
１２ａ  接点
１３    導通検査用接点
２０    導体圧着部
３０    被覆圧着部
４０    コネクタ
５０    コネクタハウジング
５１    端子収容室
５１ａ  雌端子の挿入口
５１ｂ  弾性係止片（係止部）
５１ｃ  係止孔
５２    スペーサ挿入部
５２ａ  スペーサ挿入口
５３    スペーサ係止部
５３ａ  係止突起
６０    フロントホルダ
６１    相手端子挿入口
７０    リアホルダ
８０    弾性シール部材
８１ａ  電線挿通孔
９０    スペーサ
９１    係止アーム（スペーサ被係止部）
９１ａ  被係止突起
１００  導通検査装置
１１０  コネクタ保持部
１２０  導通検査用のピン
１３０  検知ピン
２００  雄端子
２１０  接続部
Ｗ      電線
【図１】
2019087393.tif 000003
【図２】
2019087393.tif 000004
【図３】
2019087393.tif 000005
【図４】
2019087393.tif 000006
【図５】
2019087393.tif 000007
【図６】
2019087393.tif 000008
【図７】
2019087393.tif 000009
【図８】
2019087393.tif 000010
【図９】
2019087393.tif 000011